(57)【特許請求の範囲】
【請求項１】
テーブルの開口穴に設置される本体と、前記本体の天面を覆い鍋等を載置する天板を有する天板支持部と、前記天板支持部の下方に位置する加熱部と、前記加熱部の通電を制御する制御基板と、前記制御基板を支持する基板支持体と、前記天板支持部、前記加熱部、及び前記基板支持体を下方から支持し、前記本体を構成する箱状の外郭と、前記外郭とは別体で構成され前記本体の操作を行う操作部と、を備え、前記操作部と前記本体との間は、接続部Ａを有するケーブルＡで接続されるとともに、前記制御基板からのケーブルＢの接続部Ｂが前記外郭に設けられた開口穴に内側から嵌着され、前記ケーブルＡよりも上方に位置した前記接続部Ｂにおいて前記接続部Ａは、前記外郭の側面に配置され前記本体中心側に入り込んだ凹部で着脱自在に接続された組み込み式加熱調理器。
【請求項２】
前記接続部Ａと前記接続部Ｂとの接続部である接続部Ｃには、前記接続部Ｃを覆設するカバーを前記外郭の側面に設け、前記カバーは、前記外郭の外側に固定後に前記テーブルの開口穴に入る位置に配置された請求項１に記載の組み込み式加熱調理器。
【請求項３】
前記ケーブルＡは前記外郭の側面または底面に、固定部材により固定された請求項１または２に記載の組み込み式加熱調理器。
【請求項４】
前記外郭の底面の４角の角エッジ部の前記テーブルの下方で露出する少なくとも１ヶ所には、外観が滑らかな保護部材を固定した請求項１〜３のいずれか１項に記載の組み込み式加熱調理器。
【発明の詳細な説明】
【技術分野】
【０００１】
本発明は、組み込み式加熱調理器に関するものである。
【背景技術】
【０００２】
近年、外食産業が伸び、ビルトイン調理機器がお店に設置されているところが増えてきている。鍋、焼肉等の調理をお客様のテーブル上に設置したビルトイン調理機器で行うというスタイルである。
【０００３】
そのようなビルトイン調理機器のほとんどは、調理、加熱を行う本体とその操作を行う操作部とは分離され操作部は、テーブルの側面や天面の端の方に取り付けられている。両者はケーブルでつながれ、電気的な信号のやりとりを行い、操作と加熱が行えるのである。そのような中、お店で使われる商品のメンテナンス性の向上が非常に重要となってきている。
【０００４】
従来、この種の組み込み式加熱調理器の構成としては、例えば、本体と操作部はケーブルでつながれているが、ケーブルの接続部は本体内、操作部内にありそれぞれの出口はブッシングで固定されているものがあった。
【０００５】
また、加熱ユニット、電源ユニット、操作ユニットが独立していて、加熱ユニット及び操作ユニットからでたケーブルが電源ユニットのターミナル部に接続されるものがあった（例えば、特許文献１参照）。
【０００６】
図１２は特許文献１に記載された従来の組み込み式加熱調理器の斜視図、図１３は、特許文献１に記載された従来の組み込み式加熱調理機器の断面図を示すものである。図１２、１３において、鍋等を載置するセラミックプレート等で構成された天板１を下から支持する天板支持部２があり、天板１の下には鍋を加熱する加熱部３と加熱部３の通電を制御する制御基板Ａ４があり、その両者を基板支持体５で支持している。
【０００７】
そして、それら全体を囲うように支持する箱状の外郭６があり、本体を構成している。制御基板Ａ４からは、ケーブルＡ７が接続され、外郭６の側面の開口部Ａ８から外部へ出て、開口部Ａ８ではブッシングＡ９を挿入することにより、ケーブルＡ７を保持、固定している。
【０００８】
一方、操作部１０内にも制御基板Ｂ１１があり、ケーブルＡ７と接続されている。ケーブルＡ７は操作部１０の開口部Ｂ１２から出され、開口部Ｂ１２ではブッシングＢ１３でケーブルＡ７が保持、固定されている。
【０００９】
これで、本体と操作部が接続されている。こうすることで、電気接続部いわゆるコネクタの接続部が、本体の外に露出しないことから、例えばテーブル天面の隙間から水が漏れ、本体外側につたってきても、電気接続部には直接水が触れないため、故障や感電の恐れは少なかった。また、加熱ユニット、電源ユニット、操作ユニットが独立した構成においては、サービス時、各ユニット各々そのユニットだけ取り出せることができていた。
【特許文献１】実開昭５９−０４１９９０号公報
【発明の開示】
【発明が解決しようとする課題】
【００１０】
しかしながら、前記従来の構成では、本体が故障した等で操作部１０内の制御基板Ｂ１
１あるいはケーブルＡ７を交換する場合、ケーブルＡ７は本体内部で、制御基板Ａ４と接続されているため、ケーブルＡ４が本体についた状態で基板交換作業を行わなければならない（持ち運びができないため自由度なし）し、またケーブルＡ４交換時には、わざわざ本体まで外して、制御基板Ａ４からケーブルＡ７抜かなければ、交換できないため、サービス時の作業に時間がかかるという課題を有していた。
【００１１】
また、加熱ユニット、電源ユニット、操作ユニットが独立した構成においてはサービス性はいいが、例えば、テーブルと加熱ユニットの隙間から水浸入があった際、電源ユニットの天板上へぽたぽた落ちたり、あるいは加熱ユニットからのケーブルは下方の電源ユニットへ接続されているため、ケーブルをつたって、充電部である電源ユニットのターミナル部に水付着し、機器の故障の原因になる要素を有していた。つまり、サービス性と水浸入した際の機器の信頼性とを両立することが非常に困難であるという課題を有していた。
【００１２】
本発明は、上記従来の課題を解決するもので、本体と操作部の構成において、サービス性と溢水性能を両立した信頼性の高い機器を提供することを目的とする。
【課題を解決するための手段】
【００１３】
前記従来の課題を解決するために、本発明の組み込み式加熱調理器は、テーブルの開口穴に設置される本体と、前記本体の天面を覆い鍋等を載置する天板を有する天板支持部と
、前記天板支持部の下方に位置する加熱部と、前記加熱部の通電を制御する制御基板と、前記制御基板を支持する基板支持体と、前記天板支持部、前記加熱部、及び前記基板支持体を下方から支持し、前記本体を構成する箱状の外郭と、前記外郭とは別体で構成され前記本体の操作を行う操作部と、を備え、前記操作部と前記本体との間は、接続部Ａを有するケーブルＡで接続されるとともに、前記制御基板からのケーブルＢの接続部Ｂが前記外郭に設けられた開口穴に内側から嵌着され、前記ケーブルＡよりも上方に位置した前記接続部Ｂにおいて前記接続部Ａは、前記外郭の側面に配置され前記本体中心側に入り込んだ凹部で着脱自在に接続するとしたものである。
【００１４】
これによって、操作部の基板交換やケーブルを交換する際、本体との接続部のコネクタを着脱するだけで、容易に基板等の交換ができる。また、たとえケーブルＡに水が付着しても、接続部Ａ、接続部ＢはケーブルＡよりも上方に位置しているため、充電部を有する接続部には、直接水付着はしない。また、接続部Ａ、接続部Ｂは、外郭の側面に配置され本体中心側に入り込んだ凹部で接続されているため、本体外側をつたってきた水に対しても、直接水は触れることもない。
【発明の効果】
【００１５】
本発明の組み込み式加熱調理器は、サービス時、操作部やケーブルを交換する際に、本体を外すことなく、接続部のコネクタを着脱するだけで操作部およびケーブルを交換することができるので短時間で作業することができる。その上、テーブルの隙間からの水浸入が起こり、本体外側をつたったとしても、直接電気接続部に水のかからない信頼性の高い機器をも提供できる。つまり、サービス性と水浸入した際の機器の信頼性とを両立することができる。
【発明を実施するための最良の形態】
【００１６】
第１の発明は、テーブルの開口穴に設置される本体と、前記本体の天面を覆い鍋等を載置する天板を有する天板支持部と、前記天板支持部の下方に位置する加熱部と、前記加熱部の通電を制御する制御基板と、前記制御基板を支持する基板支持体と、前記天板支持部、前記加熱部、及び前記基板支持体を下方から支持し、前記本体を構成する箱状の外郭と、前記外郭とは別体で構成され前記本体の操作を行う操作部と、を備え、前記操作部と前記本体との間は、接続部Ａを有するケーブルＡで接続されるとともに、前記制御基板からのケーブルＢの接続部Ｂが外郭に設けられた開口穴に内側から嵌着され、前記ケーブルＡよりも上方に位置した前記接続部Ｂにおいて前記接続部Ａは、前記外郭の側面に配置され前記本体中心側に入り込んだ凹部で着脱自在に接続された構成とすることにより、接続部のコネクタを外すだけで、操作部の基板やケーブルＡを交換することができるサービス性のよい機器を提供することができる。また、たとえケーブルＡに水が付着しても、接続部Ａ、接続部ＢはケーブルＡよりも上方に位置しているため、充電部を有する接続部には、直接水付着はしない。また、接続部Ａ、接続部Ｂは、外郭の側面に配置され前記本体中心側に入り込んだ凹部で接続されているため、本体外側をつたってきた水に対しても、直接水は触れることもない。
【００１７】
第２の発明は、特に、第１の発明の前記接続部Ａと前記接続部Ｂとの接続部である接続部Ｃには、前記接続部Ｃを覆設するカバーを前記外郭の側面に設け、前記カバーは、前記外郭の外側に固定後に前記テーブルの開口穴に入る位置に配置された構成とすることにより、たとえ、キッチンから水が漏れ、接続部上部に水がかかったとしても、充電部に水のかからない信頼性の高い機器を提供することができる。また、接続部Ｃを完全にカバーで覆っているため、設置時に本体をテーブルの開口穴に入れる際、接続部Ｃがテーブルに当たることも防止でき、また、設置後の接続部の機械的保護も行なうこともできる。
【００１８】
第３の発明は、特に、第１または第２の発明の前記ケーブルＡは前記外郭の側面または底面に、固定部材により固定された構成とすることにより、ケーブルＡが引っかかって、引っ張られたとしても接続部に応力のかからない信頼性の高い機器を提供することができる。
【００２０】
第４の発明は、特に、第１〜３のいずれか１つの発明の外郭底面の４角の角エッジ部の前記テーブルの下方で露出する少なくとも１ヶ所には、外観が滑らかな保護部材を固定した構成とすることにより、ケーブルＡが引っ張られて外郭の角部に接触しても、ケーブルＡに傷や裂け等の損傷のない信頼性の高い機器を提供することができる。また、製品はテーブルに設置しているため、人がテーブルの周りに座ると膝がちょうど本体の底面近くに来る場合もある。その際にも、外郭の角エッジは保護部材で保護されているため、たとえ膝４６が当たったとしても、けがをすることなく安全に食事を楽しむことができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における組み込み式加熱調理器の斜視図、図２は、本発明の第１の実施の形態における組み込み式加熱調理器の断面図、図３は、本発明の第１の実施の形態における組み込み式加熱調理器の設置時の斜視図を示すものである。
【００２３】
図１〜３において、鍋等を載置するセラミックプレート等で構成された天板２１を下方から天板支持体２２で支持し、両者を天板支持部２３として構成している。
【００２４】
天板支持部２３下方には、鍋を加熱するヒーター等の加熱部２４と加熱部２４の通電を制御する制御基板Ａ２５があり、加熱部２４、制御基板Ａ２５を基板支持体２６で支持している。そして、それら全体を囲うように支持する箱状の外郭２７があり、天板支持部２３と組み合わされることにより本体２８を構成している。
【００２５】
そして、本体２８はテーブル２９に設置されている。一方、本体２８の操作を行う操作部３０は本体２８とは別体で構成され、操作部３０内には操作の制御を行う制御基板Ｂ３１が備えられ、操作基板Ｂ３１と接続されたケーブルＡ３２がつながれ、操作基板Ｂ３１と反対側には電気接続部を設けた中継コネクタで構成された接続部Ａ３３が設けられている。
【００２６】
操作部３０の孔３４からでたケーブルＡ３２はブッシング３５により挟着することにより、孔３４で保持、固定されている。本体２８内の制御基板Ａ２５からは、ケーブルＢ３６が接続され、制御基板Ａ２５とは反対側には電気接続部を設けた中継コネクタで構成された接続部Ｂ３７が、外郭２７の側面に設けられた開口穴３８に内側から挿入、嵌着することにより、固定されている。
【００２７】
開口穴３８は外郭２７の側面に形成されている凹部３９（本体中心側）に設けられている。接続部Ｂ３７において接続部Ａ３３は、着脱自在に接続されることで、本体２８と操作部３０は結合され、加熱、調理を行うことができる。
【００２８】
以上のように構成された組み込み式加熱調理器について、以下その動作、作用を説明する。
【００２９】
まず、上記構成において、本体が何らかの理由で正常に動かなくなり、操作部３０内の制御基板Ｂ３１、ケーブルＡ３２を交換することを考える。操作部３０はケーブルＡ３２の接続部Ａ３３を介して、本体２８の接続部Ｂ３７に接続されている。
【００３０】
ところが、接続部Ａ３３と接続部Ｂ３７は、着脱自在に接続、固定されているため、容易に接続部を外すことができる。よって、操作部３０と本体２８は分離され、ケーブルＡ３２を含めた操作部３０単体で作業することができる。その後は、操作部３０を開けて、制御基板Ｂ３１やケーブルＡ３２を取り換えれば、容易に作業をすることができる。
【００３１】
また、操作部３０を本体２８に取り付ける際も、接続部Ｂ３７に接続部Ａ３３を挿入するだけで完了するため、サービス時、短時間で効率的に作業することができる。また接続部Ａ３３、接続部Ｂ３７は、外郭２７の凹部３９で接続されているため、本体２８外側をつたってきた水に対しても、直接水は触れることもない。
【００３２】
また、たとえケーブルＡ３２に水が付着しても、接続部Ａ３３、接続部Ｂ３７はケーブルＡ３２よりも上方に位置しているため、充電部を有する接続部には、直接水付着はしない。
【００３３】
以上のように、本実施の形態においては、本体と操作部がケーブルを介して分離している機器において、サービス時、操作部の制御基板ＢやケーブルＡを交換する際に、接続部Ａ３２を着脱するだけで、容易に作業が行えるサービス性がよい機器を提供することができるとともに、テーブルからの水浸入時に対しても、接続部に水が付着しない故障、感電等のない信頼性の高い機器をも提供できる。つまり、サービス性と信頼性が両立した機器を提供できる。
【００３４】
また、本実施の形態では、外郭側面に凹部を設けた構成で行っているが、凹部を設けなくても、接続部上部に庇を設けてもよいし、またそのような手段がなくても上方からの水浸入が防止できる構成（シール材で完全にシール等）にすればよい。
【００３５】
さらに、凹部を設ける構成にすることにより、外郭側面からの接続部の出っ張りを少なくすることができ、本体をテーブルに設置する際、テーブルの開口部に入れやすいという効果もある。
【００３６】
なお、凹部の構成は、外郭一体でなくても、別部品を穴の開いた外郭側面に設けてもよい。
【００３７】
また、ここでは、接続部の出口を外郭側面からとしているが、出口を外郭底面に設けても同様の効果が得られる。
【００３８】
また、ケーブルＡは、複数のリード線を束ねた構成となり、それをシースで囲ったものでも、チューブに通したものでも、テープで巻いたものでもよい。
【００３９】
また、加熱部はＩＨヒーター、電気ヒーター、ガス等のヒーターでも同様の効果が得られる。
【００４０】
上記で述べたケーブルＡをつたって落ちてきた水は、ケーブルＡの最下点で、充電部のないテーブルの下へ落ちるか、操作部に挟着されているブッシングによって、防御され操作部内への浸入を防止されるため、充電部への付着を防止することができる。
【００４１】
（実施の形態２）
図４は、本発明の第２の実施の形態の組み込み式加熱調理器の斜視図、図５は、本発明の第２の実施の形態の組み込み式加熱調理器の断面図である。
【００４２】
図４、５において、基本的な構成は実施の形態１と同様であるため、構成の異なる部分を説明する。接続部Ａ３３と接続部Ｂ３７とを接続部Ｃ４０として、接続部Ｃ４０を覆設するようなカバー４１が外郭２７の側面に爪及びねじの締結で固定されている。ケーブルＡ３２は、カバー４１の下方に設けられた切欠部から外部へと出ている。
【００４３】
以上のように構成された組み込み式加熱調理器について、以下その動作、作用を説明する。
【００４４】
動作、作用についても、実施の形態１の内容と異なる部分についてだけ述べるため、同様の内容は実施の形態１を参照とする。まず、テーブル２９の隙間から水が漏れてきたことを考える。水は、外郭２７の外側をつたって、接続部Ａ３３と接続部Ｂ３７とからなる接続部Ｃ４０に落ちてくる。
【００４５】
ところが、接続部Ｃ４０の周囲は、カバー４１と外郭２７の側面によって、完全に覆われているため、接続部Ｃ４０に水が触れることはない（カバー４１の切欠部は下方に設けられているため、上からの水のしたたりにおいて、接続部Ｃ４０への水付着はない）。
【００４６】
以上のように、本実施の形態においては、本体と操作部がケーブルを介して分離している機器において、水がテーブルから浸入してきても、本体の接続部Ｃ（充電部）に水が触れることによる故障、感電等のない信頼性の高い機器を提供することができる。
【００４７】
さらに、接続部Ｃ４０を完全にカバー４１で覆っているため、設置時に本体をテーブルの開口穴４７に入れる際、接続部Ｃ４０がテーブルに当たることも防止でき、また、設置後の接続部の機械的保護も行なうこともできる。
【００４８】
また、ここでは外郭の側面で説明したが、底面にカバーを取り付けても同様の効果が得られる。
【００４９】
なお、接続部Ｃをカバーで覆うことから、電気的な接続部を有する接続部Ｃを機械的に保護する役割をも行える。
【００５０】
また、カバーは爪とねじの締結だけでなく、爪のみの固定で行ってもよい。そうすれば、カバーの着脱も非常にしやすい。
【００５１】
また、ケーブルＡは、ここで説明したようにカバーの下面から出す方が、水付着や本体の設置性を考えると有効であるが、構成によっては、カバーの側面からケーブルＡをだしても、同様の効果が得られる。
【００５２】
（実施の形態３）
図６は、本発明の第３の実施の形態の組み込み式加熱調理器の裏面斜視図、図７は、本発明の第３の実施の形態の組み込み式加熱調理器の断面図である。
【００５３】
図６、７において、基本的な構成は実施の形態１と同様であるため、構成の異なる部分を説明する。外郭２７の底面には、ケーブルＡ３２を固定する固定部材４２が締結されている。
【００５４】
以上のように構成された組み込み式加熱調理器について、以下その動作、作用を説明する。
【００５５】
動作、作用についても、実施の形態１の内容と異なる部分についてだけ述べるため、同様の内容は実施の形態１を参照とする。まず、ケーブルＡ３２がたるみ、偶発的にケーブルＡ３２を引っ張ってしまったとする。ところが、ケーブルＡ３２は固定部材４２によって外郭２７の底面に固定されているため、応力は固定部材４２までしかかからない。
【００５６】
つまり、電気的に接続された接続部Ｃ４０には、応力がかからないため電気的接続部が抜けることはない。よって、接触不良等の現象は起こることはなくなる。
【００５７】
以上のように、本実施の形態においては、ケーブルＡは外郭側面もしくは底面に、固定部材により固定することにより、本体と操作部がケーブルを介して分離している機器において、接続部の接続不良が起こることのない信頼性の高い機器を提供できる。
【００５８】
なお、ここでは、外郭底面に固定部材を取り付けたが、外郭側面に取り付けても同様の効果が得られる。
【００５９】
また、固定部材は樹脂でも、金属でもよく、ケーブルに損傷を与えないような処理がなされていればよい（Ｒ形状、カーリング、へミング曲げ等）。
【００６０】
また、固定部材の固定方法もねじと爪だけでなく、ねじ２本で締結しても同様の効果が得られる。
【００６１】
（参考の形態１）
図８は、本発明の第１の参考の形態の組み込み式加熱調理器の斜視図である。
【００６２】
図８において、基本的な構成は実施の形態１と同様であるため、構成の異なる部分を説明する。本体２８操作部３０を結ぶケーブルＡ４３は、両者の通信を行う信号線のみ（０．５ｓｑ以下）で形成されている。
【００６３】
以上のように構成された組み込み式加熱調理器について、以下その動作、作用を説明する。
【００６４】
動作、作用についても、実施の形態１の内容と異なる部分についてだけ述べるため、同様の内容は実施の形態１を参照とする。まず、ケーブルＡ４３を交換する場合について説明する。
【００６５】
その際、ケーブルＡ４３は、複数の細い信号線のみで構成されているため、より合わせても約８ｍｍ程度で細いため、非常に作業が行いやすい。また、大電流が流れるような太い２ｓｑがないため、たとえ接続部Ｃ４０で半挿入があり、接触抵抗の増加があったとしても、発熱、発煙等の異常は発生しないため、安全である（接触不良で通電不可になるぐらいである）。
【００６６】
以上のように、本参考の形態においては、ケーブルＡは、微小電流の通電のみを行う信号線だけで構成することにより、本体と操作部がケーブルを介して分離している機器において、施工、サービス時の作業が行いやすく、また安全である信頼性の高い機器を提供できる。
【００６７】
なお、ケーブルＡは、複数のリード線を束ねた構成となり、それをシースで囲ったもの
でも、チューブに通したものでも、テープで巻いたものでもよい。
【００６８】
（実施の形態４）
図９は、本発明の第４の実施の形態の組み込み式加熱調理器の斜視図、図１０は、本発明の第４の実施の形態の組み込み式加熱調理器の詳細断面図、図１１は、本発明の第４の実施の形態の組み込み式加熱調理器の設置時の断面図である。
【００６９】
図９〜１１において基本的な構成は実施の形態１と同様であるため、実施の形態１を参照とする。金属製の外郭２７底面４角の角エッジ４４は、樹脂で形成され、外観が滑らかな保護部材４５が外郭２７に設けられた穴に嵌合され、取り付けられている。
【００７０】
外観が滑らかとは、外観の面と面とがかかる辺において、エッジがなく丸みをおびるような形状のことをいう（当たっても、傷を発生させない形状）。
【００７１】
以上のように構成された組み込み式加熱調理器ついて、以下その動作、作用を説明する。
【００７２】
動作、作用についても、実施の形態１の内容と異なる部分について説明する。同様の内容は実施の形態１を参照とする。まず、テーブル２９への設置状態を説明する。外郭２７は、本体２８内からの発煙、発火に対して安全性を確保するために不燃性の鉄で構成された金属製である。外郭２７を作る際には、プレス成形される。
【００７３】
そこで、折り曲げの角部にはどうしても、角エッジ４４が形成されてしまう。それで、ケーブルＡ３２は接続部Ｃ４０を出た後、操作部３０に接続されるがその間、基本的にはクリップ等でテーブル２９裏面に固定されるが、固定されない場合もある。その際、ケーブルＡ３２はぶらぶらした状態で、外郭２７角エッジ４４に触れる事がある。
【００７４】
電気の通信を行うケーブルＡ３２が角エッジ４４に触れてしまうと、ケーブルＡ３２の被覆が破れたり、切れたりして絶縁が破壊されてしまう。ところが、外郭２７の角エッジ４４には、その上から樹脂製の外観が滑らかな形状をした保護部材４５が取り付けられているため、ケーブルＡ３２が接触しても、被覆が損傷することがないため、製品の性能を確保することができる。
【００７５】
また、製品はテーブルに設置しているため、人がテーブルの周りに座ると膝４６がちょうど本体２８の底面近くに来る場合もある。その際にも、外郭２７の角エッジ４４は保護部材４５で保護されているため、たとえ膝４６が当たったとしても、けがをすることなく安全に食事を楽しむことができる。
【００７６】
以上のように、本実施の形態においては、外郭底面の４角の角エッジ部の少なくとも１ヶ所には、外観が滑らかな保護部材を固定することにより、本体と操作部がケーブルを介して分離している機器において、ケーブルの損傷がない信頼性の高い機器と食事中においてけがをすることのない安全な機器をも提供できる。
【００７７】
なお、ここでは保護部材を４つで説明しているが、角エッジ部に対応したところに構成すればよい。数は問わなくてもいいし、必要最低限、角エッジ部があっても他の方法の例えば仕切り板等で当たらないようにしている場合には、人やケーブルがあたりそうな箇所だけ設けても同様の効果が得られる。
【００７８】
また、角エッジは底面にこだわらず、側面の発生したところでもいいし、折り曲げ等でできる角エッジのみにこだわらず、切欠の爪や切おこし、先端のとがったねじ等のエッジ
部においても保護部材を設けることで同様の効果が得られる。
【００７９】
また、ここでは保護部材の取付は、外郭の穴に保護部材の爪を２つ嵌合して説明しているが、ねじで締結させる等容易に外れない構成でもよい。
【００８０】
また、保護部材の材質は樹脂は限らず、シリコン等のゴムでもいいし、削りだしで作成したような外観が滑らかな金属（鉄、アルミ等）でもよい。
【産業上の利用可能性】
【００８１】
以上のように、本発明にかかる組み込み式加熱調理器は、本体と操作部がケーブルを介して分離しているリモコン機器（マッサージ機、パソコン）等の用途にも適用できる。
【図面の簡単な説明】
【００８２】
【図１】本発明の実施の形態１における組み込み式加熱調理器の斜視図
【図２】本発明の実施の形態１における組み込み式加熱調理器の断面図
【図３】本発明の実施の形態１における組み込み式加熱調理器の設置時の斜視図
【図４】本発明の実施の形態２における組み込み式加熱調理器の斜視図
【図５】本発明の実施の形態２における組み込み式加熱調理器の断面図
【図６】本発明の実施の形態３における組み込み式加熱調理器の裏面斜視図
【図７】本発明の実施の形態３における組み込み式加熱調理器の断面図
【図８】本発明の参考の形態１における組み込み式加熱調理器の斜視図
【図９】本発明の実施の形態４における組み込み式加熱調理器の斜視図
【図１０】本発明の実施の形態４における組み込み式加熱調理器の詳細断面図
【図１１】本発明の実施の形態４おける組み込み式加熱調理器の設置時の断面図
【図１２】従来の組み込み式加熱調理器の斜視図
【図１３】従来の組み込み式加熱調理器の断面図
【符号の説明】
【００８３】
２１  天板
２２  天板支持体
２４  加熱部
２５  制御基板Ａ（加熱部の通電を制御する制御基板）
２６  基板支持体
２７  外郭
２８  本体
２９  テーブル
３０  操作部
３２、４３  ケーブルＡ
３３  接続部Ａ
３６  ケーブルＢ
３７  接続部Ｂ
３８  開口穴
３９  凹部
４０  接続部Ｃ
４２  固定部材
４７  テーブルの開口穴
【図１】
0005098801.tif 000002
【図２】
0005098801.tif 000003
【図３】
0005098801.tif 000004
【図４】
0005098801.tif 000005
【図５】
0005098801.tif 000006
【図６】
0005098801.tif 000007
【図７】
0005098801.tif 000008
【図８】
0005098801.tif 000009
【図９】
0005098801.tif 000010
【図１０】
0005098801.tif 000011
【図１１】
0005098801.tif 000012
【図１２】
0005098801.tif 000013
【図１３】
0005098801.tif 000014